(57)【要約】【課題】本発明は、共通性が高く、且つ使用に便利であるデバッグ装置を提供することである。【解決手段】本発明に係るデバッグ装置は、端末装置の故障情報を検出するために用いられ、故障情報は、デバッグコードによって表示される。また、前記デバッグ装置は、プロセッサと、このプロセッサに電気的に接続された第一コネクタと、第二コネクタと、表示部と、を備え、第一コネクタと第二コネクタは、端末装置に接続されるために用いられ、プロセッサは、第二コネクタによって端末装置からデバッグコードを獲得して記憶し、且つ表示部を制御して表示させるために用いられ、記憶されたデバッグコードは、第一コネクタによって端末装置に伝送される。【選択図】図１
2013196707.tif 000002
【特許請求の範囲】
【請求項１】
端末装置の故障情報を表示するために用いられ、前記故障情報は、デバッグコードによって表示されるデバッグ装置であって、
プロセッサと、前記プロセッサに電気的に接続された第一コネクタと、第二コネクタと、表示部と、を備え、
前記第一コネクタと前記第二コネクタは、前記端末装置に接続され、
前記プロセッサは、前記第二コネクタによって前記端末装置から前記デバッグコードを獲得して記憶し、且つ前記表示部を制御して前記デバッグコードを表示させ、
記憶部に記憶されたデバッグコードは、前記第一コネクタによって前記端末装置に伝送されることを特徴とするデバッグ装置。
【請求項２】
前記第一コネクタによって前記端末装置とデータ交換を行い、
前記プロセッサは、前記端末装置から前記第一コネクタによって伝送されたデータを記憶部に記憶することを特徴とする請求項１に記載のデバッグ装置。
【請求項３】
本体を備え、前記第一コネクタ及び前記第二コネクタは、前記本体における互いに対向する両端に設置されることを特徴とする請求項１又は２に記載のデバッグ装置。
【請求項４】
前記端末装置は、前記第一コネクタに接続される第一ポート及び前記第二コネクタに接続される第二ポートを備えることを特徴とする請求項１から３のいずれか１項に記載のデバッグ装置。
【発明の詳細な説明】
【技術分野】
【０００１】
本発明は、デバッグ装置に関して、デバッグコード検出機能及び記憶機能を備えたデバッグ装置に関するものである。
【背景技術】
【０００２】
現在、パソコン又はサーバーなどのような端末装置は、基本入出力システム（ＢＩＯＳ）の自己診断テストシステムを備える。この自己診断テストシステムは、端末装置の内部に設置された各ハードウェアの故障を検出する。具体的な故障原因を検出するために、一般的には、デバッグ装置を端末装置のマザーボードに接続することによって、基本入出力システムから出力されたデバッグコードを獲得し、端末装置の故障情報を表示する。しかし、既知のデバッグ装置は、デバッグコードを記憶することができず、リアルタイムに故障情報を表示するのみであるため、獲得したデバッグコードが多い場合、混乱を招く可能性があり、使用者に不便をもたらす。
【発明の概要】
【発明が解決しようとする課題】
【０００３】
本発明の目的は、前記課題を解決し、共通性が高く、且つ使用に便利であるデバッグ装置を提供することである。
【課題を解決するための手段】
【０００４】
本発明に係るデバッグ装置は、端末装置の故障情報を表示するために用いられ、故障情報は、デバッグコードによって表示される。また、前記デバッグ装置は、プロセッサと、このプロセッサに電気的に接続された第一コネクタと、第二コネクタと、表示部と、を備え、第一コネクタと第二コネクタは、端末装置に接続され、プロセッサは、第二コネクタによって端末装置からデバッグコードを獲得して記憶部に記憶し、且つ表示部を制御してデバッグコードを表示させ、記憶されたデバッグコードは、第一コネクタによって端末装置に伝送される。
【発明の効果】
【０００５】
本発明のデバッグ装置は、第二コネクタを設置することによって、デバッグ装置に端末装置から出力されたデバッグコードを獲得させ、且つ表示部によって表示させて、故障表示の役割を果たす。また、デバッグ装置には、第一コネクタがさらに設置されているため、記憶された複数のデバッグコードを端末装置に伝送し、デバッグコードを便利に閲覧することができる。また、デバッグ装置は、端末装置と共通のデータ記憶装置として使用することもできる。従って、使用に便利であり、且つ共通性も高い。
【図面の簡単な説明】
【０００６】
【図１】本発明の実施形態に係るデバッグ装置の機能ブロック図である。
【図２】図１に示すデバッグ装置の平面図である。
【発明を実施するための形態】
【０００７】
以下、図面を参照して、本発明の実施形態について説明する。
【０００８】
図１及び図２を参照すると、本発明の実施形態に係るデバッグ装置１００は、コンピュータ、サーバーなどの端末装置２００で検出された故障情報を記憶するために用いられる。
【０００９】
端末装置２００は、第一ポート２４０と、第二ポート２６０と、基本入出力システム２８０と、を備える。本実施形態において、第一ポート２４０は、ユニバーサルシリアルバス（ＵＳＢ）ポートである。第二ポート２６０は、周辺装置相互接続（ＰＣＩ）ポート又は業界標準アーキテクチャ（ＩＳＡ）ポートである。基本入出力システム２８０は、起動する際、自己診断テストプログラムを実行し、端末装置２００の記憶装置、キーボード、ビデオ記録再生装置、ハードディスクドライブ、フロッピー（登録商標）ディスクドライブなどの装置の動作状況を検出し、且つ故障している装置に対して、デバッグコードを出力する。その中で、基本入出力システム２８０は、第二ポート２６０に電気的に接続され、第二ポート２６０によってデバッグ装置１００にデバッグコードを伝送する。
【００１０】
デバッグ装置１００は、本体１１０と、第一コネクタ１２０と、第二コネクタ１３０と、プロセッサ１４０と、表示部１５０と、を備える。第一コネクタ１２０及び第二コネクタ１３０は、本体１１０における互いに対向する両端にそれぞれ設置される。プロセッサ１４０は、本体１１０に内蔵される。表示部１５０は、本体１１０の外表面から露出する。
【００１１】
本実施形態において、第一コネクタ１２０はＵＳＢポートであり、端末装置２００の第一ポート２４０に接続されており、デバッグ装置１００と端末装置２００は、互いにデータ交換を行う。これにより、デバッグ装置１００は、端末装置２００との共通のデータ記憶装置として端末装置２００と通信する。
【００１２】
本実施形態において、デバッグ装置１００の第二コネクタ１３０は、端末装置２００との共通の故障デバッグカードポートであり、端末装置２００の第二ポート２６０に接続されており、基本入出力システム２８０から出力されたデバッグコードを獲得する。
【００１３】
デバッグ装置１００のプロセッサ１４０は、デバッグ装置１００の第二コネクタ１３０及び表示部１５０に共に電気的に接続され、端末装置２００から第二コネクタ１３０を経由してデバッグコードを獲得し、且つこのデバッグコードに基づいて、表示部１５０を制御してデバッグコードを表示させる。本実施形態において、表示部１５０は、２つの７セグメントＬＥＤである。プロセッサ１４０は、第一コネクタ１２０にも電気的に接続され、端末装置２００が第一コネクタ１２０を経由して伝送したデバッグコードを記憶部に記憶するために用いられる。また、プロセッサ１４０は、デバッグモードを自動的に記憶し、且つ第一コネクタ１２０を経由してデバッグコードを端末装置２００に伝送する。従って、使用者は、随時端末装置２００によって故障デバッグ記録を閲覧することができる。
【００１４】
以下、デバッグ装置１００の動作原理について説明する。
【００１５】
端末装置２００に対して故障の検出を行う際、まず、デバッグ装置１００を第二コネクタ１３０によって端末装置２００に接続させる。その後、端末装置２００を起動させると、基本入出力システム２８０は、自己診断テストプログラムを実行する。例えば、端末装置２００のプロセッサ１４０が故障した場合、基本入出力システム２８０は、第二ポート２６０を経由して第二コネクタ１３０にデバッグコードＥＥを出力し、キーボードが故障した場合、基本入出力システム２８０は、デバッグコードＥＦを出力する。次いで、デバッグ装置１００のプロセッサ１４０は、第二コネクタ１３０からデバッグコードを獲得し、且つ表示部１５０を制御して対応するデバッグコードを表示させる。例えば、表示部１５０を制御してＥＥを表示させる。これにより、現在の端末装置２００の各装置の動作状況を表示することができる。これと同時に、プロセッサ１４０は、デバッグモードを記憶部に自動的に記憶する。故障デバッグ記録を閲覧したい場合、第一コネクタ１２０を、端末装置２００の第一ポート２４０に接続することによって、デバッグ装置１００は、プロセッサ１４０によって記憶部に記憶されたデバッグコードを端末装置２００に伝送することにより、端末装置２００のモニター（図示せず）によって閲覧することができる。この時、デバッグコードが多い場合には、表示部１５０だけでなく、端末装置２００のモニターからも閲覧することができる。
【００１６】
本発明のデバッグ装置１００は、第二コネクタ１３０を設置することによって、デバッグ装置１００に端末装置２００から出力されたデバッグコードを獲得させ、且つ表示部１５０によってデバッグコードを表示させて、故障検出表示の役割を果たす。また、デバッグ装置１００には、第一コネクタ１２０がさらに設置されているため、記憶された複数のデバッグコードを端末装置２００に伝送し、デバッグコードを便利に閲覧することができる。また、デバッグ装置１００は、端末装置２００との共通のデータ記憶装置として使用することもできる。従って、使用に便利であり、且つ共通性も高い。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００１８】
１００  デバッグ装置
１１０  本体
１２０  第一コネクタ
１３０  第二コネクタ
１４０  プロセッサ
１５０  表示部
２００  端末装置
２４０  第一ポート
２６０  第二ポート
２８０  基本入出力システム
【図１】
2013196707.tif 000003
【図２】
2013196707.tif 000004